(57)【要約】      （修正有）【課題】着用したときに、骨盤を軽く前傾させて背筋が真っ直ぐとなるような意識付けを行わせる加圧力が働く機能を有すると共に、太腿部に対しては適度な強さで締め付けを行うようにして、新規な骨盤支持機能付きショーツを提供する。【解決手段】腰部の身生地外側を一周するようにウエスト部分からほぼ臀部のトップ近傍までの幅を有するベルト状に構成されたパワーネットからなる腰ベルト２の上辺全周をウエスト部分３に縫着すると共に、該腰ベルト２の後側縦中心線を身生地の後側縦中心縫着部に縫着し、腰ベルト２の前側は股布５より上側に位置する身生地の左右の鼠径線の一部に縫着してなり、該腰ベルト２にはその前中心から両脇方向に向って次第に細幅となるようなダーツ９を縫着形成して、腰ベルト２の上下幅を腹部側は浅く、臀部側は深くとるようにして、腰ベルト２全体が腹部側から臀部側に向って斜め上方に傾斜するように形成する。【選択図】図１
0003178727.tif 000002
【実用新案登録請求の範囲】
【請求項１】
腰部の身生地外側を一周するようにウエスト部分からほぼ臀部のトップ近傍までの幅を有するベルト状に構成されたパワーネットからなる腰ベルトの上辺全周をウエスト部分に縫着すると共に、該腰ベルトの後側縦中心線を身生地の後側縦中心縫着部に縫着し、腰ベルトの前側は股布より上側に位置する身生地の左右の鼠径線の一部に縫着してなり、該腰ベルトにはその前中心から両脇方向に向って次第に細幅となるようなダーツを縫着形成して、腰ベルトの上下幅を腹部側は浅く、臀部側は深くとるようにして、腰ベルト全体が腹部側から臀部側に向って斜め上方に傾斜するように形成し、身生地の足口部を腰ベルト下端より下側に露呈させ、該身生地下端部には所定幅でヘム織りを施して、両生地を足口部では互いに縫着することなく、足口部に段差が生じるようにしてなることを特徴とする骨盤支持機能付きショーツ。
【請求項２】
前記請求項１に記載された身生地の足口部におけるヘム織りに代えて、身生地全体を縦編みで編成し、身生地の足口部を腰ベルト下端より下側に露呈させ、身生地の足口下端部をフリーカットしてなる請求項１記載の骨盤支持機能付きショーツ。
【請求項３】
前記腰ベルトとなるパワーネット生地に柄物を使用する請求項１又は２記載の骨盤支持機能付きショーツ。
【考案の詳細な説明】
【技術分野】
【０００１】
本考案は、着用したときに、骨盤を軽く前傾させて背筋を真っ直ぐとさせるような意識付けを行わせる加圧力が働く機能を有すると共に、足口部分にゴロツキ感がなくて、太腿部分に締め付け跡が残ったり、外部から見てもアウターに影響を与えないショーツに関するものである。
【背景技術】
【０００２】
従来から、ガードル機能のあるショーツが種々提案されているが、それらはもっぱら身生地の内側の所定個所に部分的に、例えば臀部の二つの膨らみの下側部分や下腹部分等に伸縮力の強いパワーネットを配置縫着して、ヒップアップ効果や下腹の膨らみを押える効果を有するようにしているが、足口部では身生地とパワーネットとを互いに縫着しているため、この部分にゴロツキが生じて、着用感が悪く、着用した際に、太腿部分に締め付け跡が残ったり、アウターウエアの外側から足口の縫着部分の位置が分かってしまい、甚だ体裁も悪かった。
【０００３】
また、骨盤が後方へ倒れると、骨盤が上半身より前に出て背中が丸くなり、姿勢が悪くなってしまうが、従来のいわゆるガードルショーツでは、ヒップアップや下腹の締め付けのみを追求したもので、ベルト状のパワーネットで骨盤全体を包み込んで骨盤をサポートし、骨盤を少し前傾させる姿勢となるような意識付けを行わせるようにして、背筋が真っ直ぐに伸びて正しい姿勢をとり易くなるようにしたものはなかった。
【先行技術文献】
【特許文献】
【０００４】
【特許文献１】登録実用新案第３１６３６５８号公報
【考案の概要】
【考案が解決しようとする課題】
【０００５】
本考案は、ヒップアップ効果や下腹の膨らみを押える効果を発揮させることを主眼とするものではなく、着用したときに、骨盤を軽く前傾させて背筋が真っ直ぐとなるような意識付けを行わせる加圧力が働く機能を有すると共に、太腿部分に締め付け跡が残ったり、外部から見てもアウターに影響を与えない新規なショーツを提案するものである。
【課題を解決するための手段】
【０００６】
そのため、本考案では、腰部の身生地外側を一周するように所定幅のベルト状に構成されたパワーネットからなる腰ベルトによって骨盤を単に引き締めるだけでなく、このパワーネットの前中心から両脇に向って次第に細幅となるように形成されたダーツを設けて縫着し、パワーネットの上下幅を腹部側は浅く、臀部側は深くとるようにして、パワーネット全体が腹部側から臀部側に向って斜め上方に傾斜するように形成し、これにより骨盤をサポートすることによって、骨盤を少し前傾させるような意識付けを行わせる加圧力を付与する。
【０００７】
また、本考案では、伸縮性の身生地の足口部は上記パワーネットの腰ベルト下端より下側に露出させ、身生地下端部には所定幅でヘム織りを施して、ほつれを防止すると共に、両生地を足口部では互いに縫着することなく、足口部に段差が生じるようにするか、あるいは、この身生地の足口部下端部にヘム織りを施す代わりに、身生地全体を縦編みで編成し、上記と同様に身生地の足口部をパワーネットの腰ベルト下端より下側に露出するようにして、身生地下端部をフリーカットする。
【考案の効果】
【０００８】
このように、本考案に係るショーツによれば、腰部の身生地を一周するように所定幅のベルト状に構成されたパワーネットの腰ベルトによって骨盤を単に引き締めるだけでなく、このパワーネットの前中心から両脇に向って次第に細幅となるように形成されたダーツの存在により、パワーネットの上下幅を腹部側は浅く、臀部側は深くとるようにして、パワーネット全体が腹部側から臀部側に向って斜め上方に傾斜するように形成され、これにより骨盤をサポートすることによって、骨盤を少し前傾させるような意識付けを行わせる加圧力を付与し、美しい姿勢をとるような意識付けを行うのである。
【０００９】
また、本考案では、伸縮性の身生地の足口部をパワーネット下端より下側に露呈させ、身生地下端部には所定幅でヘム織りを施して、ほつれを防止すると共に、両生地を足口部では互いに縫着することなく、足口部に段差が生じるようにして、着用した際に、太腿部分に締め付け跡が残ったり、アウターウエアの外側から足口の縫着部分の位置が分かってしまうようなこともない。
【００１０】
なお、身生地の足口部下端部にヘム織りを施す代わりに、身生地全体を縦編みで編成し、上記と同様に身生地の足口部をパワーネット下端より下側に露呈させて、身生地下端部をフリーカットしても、ほつれが防止され、上記と同等の効果が得られる。
【００１１】
さらに、従来のガードルタイプのショーツでは、臀部と腹部の引き締め用のパワーネット生地を肌と直接接する内側に使用していたが、本考案では、あえてパワーネット生地を身生地の外側に配置し、このパワーネット生地に柄物を使用することにより、肌触り良く着用できると共に、外観も良好となる。
【図面の簡単な説明】
【００１２】
【図１】図１は、本考案に係る骨盤支持機能付きショーツの一例（ショートタイプのもの）を示す正面説明図である。
【図２】図２は、同・背面説明図である。
【図３】図３は、本考案に係る骨盤支持機能付きショーツの他の例で、ロングタイプのものを示す正面説明図である。
【図４】図４は、同・背面説明図である。
【考案を実施するための形態】
【００１３】
図１は、本考案に係るショーツの一実施例を示す正面図であり、本考案は図示の通り、伸縮性のショーツの身生地（ショーツ本体）１とその外側の腰部外周を一周するように止着される伸縮力の強いパワーネットからなる腰ベルト２とから構成されている。
【００１４】
腰部を一周するパワーネットの腰ベルト２は、ウエスト部分３からほぼ臀部のトップ近傍までの幅を有する同幅のベルト状であり、該腰ベルト２の上辺全周はウエスト部分３全周に縫着すると共に、後側の縦中心線を身生地１の後側縦中心縫着部４に縫着してなる（図２参照）。
【００１５】
さらに、腰ベルト２の前側は、股布５より上側に位置する身生地１の左右の鼠径線の一部６に縫着（縫着長さ：約１〜３ｃｍ程度）して、着用時の身生地１に対する腰ベルト２の前側のずれを防止するようにし、このパワーネットの腰ベルト２は上記身生地１の後側縦中心縫着部４と左右の身生地１鼠径線の一部６以外には、身生地１に対してはどこにも縫着していない。
【００１６】
７は腰ベルト２の前中心線に位置する腰ベルト２の端部どうしの縫合線８の中間部（ほぼ中央部）から左右両脇方向へ向かってほぼ水平に延びる縫着部で、該縫着部７はこの腰ベルト２の前中心から両脇に向って次第に細幅となるように裏側へ折り込んでテーパ状としたダーツ９を形成して縫着し、パワーネット腰ベルト２の上下幅を腹部側は浅く、臀部側は深くとるようにして、腰ベルト２全体が腹部側から臀部側に向って斜め上方に傾斜するように形成してある。
【００１７】
１０は伸縮性の身生地１の足口部を腰ベルト２下端より下側に露呈させ、身生地下端部には所定幅でヘム織り１０を施して、ほつれを防止すると共に、両生地を足口部では互いに縫着することなく、足口部に段差が生じるようにする。
【００１８】
これにより、このショーツを着用した際に、太腿部分に締め付け跡が残ったり、アウターウエアの外側から足口の縫着部分の位置が分かってしまうようなこともない。
【００１９】
なお、身生地１の足口下端部に上記のようなヘム織り１０を施す代わりに、身生地全体を縦編みで編成し、上記と同様に身生地の足口部を腰ベルト２下端より下側に露呈させて、身生地１の足口下端部をフリーカットしても、ほつれが防止され、上記ヘム織り１０と同等の効果が得られる。
【００２０】
また、従来のガードルタイプのショーツでは、臀部と腹部の引き締め用のパワーネット生地を肌と直接接する内側に使用していたが、本考案では、腰ベルト２となるパワーネット生地をあえて身生地１の外側に配置し、このパワーネット腰ベルト２生地に柄物を使用するようにすれば、肌触り良く着用できると共に、外観も良好となる。
【００２１】
以上、図１〜２は、ショート丈タイプ（スタンダード）のショーツの例を示して説明したが、本考案では、図３〜４に示すようなロング丈タイプのショーツにも適用できることは勿論である。
【００２２】
この図３〜４においては、パワーネットからなる腰ベルト２の上辺全周を身生地１上端部を折り返して二重に形成されたウエスト部分、あるいは袋編みに形成されたウエスト部分の下周縁に縫着しており、また、腰ベルト２の後側縦中心線を身生地１の後側縦中心縫着部４に縫着し、腰ベルト２の前側は股布５より上側に位置する身生地の左右の鼠径線の一部に縫着６してなり、該腰ベルト２にはその前中心から両脇方向に向って次第に細幅となるようなテーパ状のダーツ９をとって縫着形成する点は、前記図１〜２のものと同様である。
【００２３】
また、着用したときに、パワーネットの腰ベルト２の下端から下方に露出して太腿部に達する身生地１の足口下端部１０には、前記と同様に所定幅のヘム織りを施したり、あるいはこれに代えて、身生地全体を縦編みで編成し、身生地１の足口下端部１０をフリーカットしても、ほつれを防止することができる。
【符号の説明】
【００２４】
１−伸縮性ショーツの身生地
２−パワーネットの腰ベルト
３−ウエスト部分
４−身生地の後側縦中心縫着部
５−股布
６−腰ベルトの身生地鼠径線の一部への縫着部
７−テーパ状のダーツを形成するための縫着部
８−腰ベルトの端部どうしの縫合線
９−テーパ状のダーツ
１０−身生地足口下端部のヘム織り部
【図１】
0003178727.tif 000003
【図２】
0003178727.tif 000004
【図３】
0003178727.tif 000005
【図４】
0003178727.tif 000006